(57)【要約】      （修正有）【課題】重量物の昇降にも耐えうる設置構造としつつ、設置作業を容易に行うことができる収納ケースを提供する。【解決手段】収納ユニットに備えられるケース５１は、建物ユニットの天井裏空間に設けられている。ケース５１には、対向する２つの側面にラック６４，６５が設けられている。隣り合う一対の天井小梁２５ａ,２５ｂには、それぞれ昇降モータ６１とオイルダンパ６２が設けられている。ラック６４，６５が、昇降モータ６１のピニオン及びオイルダンパ６２のピニオンと噛み合うことで、ケース５１が天井小梁２５ａ,２５ｂと直交する方向に昇降可能に支持されている。【選択図】図２
0003160703.tif 000002
【実用新案登録請求の範囲】
【請求項１】
梁及び柱よりなる建物ユニットにより構築されるユニット式建物に適用され、前記建物ユニットの天井裏空間に設置される収納ケースであり、
前記収納ケースには、対向する２つの側面から歯を側方へ突出させたラックが設けられ、
前記ラックが、前記天井裏空間において隣り合う一対の天井梁にそれぞれ取付けられたピニオンと噛み合うことで、前記収納ケースが前記天井梁と直交する方向に昇降可能に支持されていることを特徴とする収納ケース。
【請求項２】
前記ピニオンは駆動装置に備えられており、当該駆動装置の動力を受けて回転するものであることを特徴とする請求項１記載の収納ケース。
【請求項３】
前記駆動装置は操作スイッチと接続され、当該操作スイッチから送信される信号に基づき、前記ピニオンを回転させることを特徴とする請求項１又は２記載の収納ケース。
【請求項４】
前記建物ユニットの四隅に配された前記柱の上端部は天井大梁により連結され、前記建物ユニットの長辺部の相対する天井大梁の間には、所定間隔で複数の天井小梁が架け渡され、
前記建物ユニットを輸送する際、ケース上面が前記天井大梁の上端高さよりも上方に突出しない位置に固定した状態に維持されることを特徴とする請求項１又は２記載の収納ケース。
【考案の詳細な説明】
【技術分野】
【０００１】
本考案は、天井裏空間に設置される収納ケースに関するものである。
【背景技術】
【０００２】
従来、床板の一部に開口部を形成し、その下方の床下空間を利用して収納ユニットを設ける技術が知られている（例えば特許文献１）。この収納ユニットでは、床板の開口部四隅に立設されたＬ型アングルに取付けられたラックと、収容容器の載置台に取付けられたギヤとが噛み合って形成された昇降手段により、載置台の昇降作動が安定して行われる。
【０００３】
しかしながら、この収納ユニットでは、収容容器の昇降作動や収容物を取り出す作業に邪魔とならないように、開口部周辺床上に物を置かないようにする必要があり、屋内スペースの有効活用を妨げる。
【０００４】
このため、天井板の一部に開口部を形成し、その上方の天井裏空間を利用して収納ユニットを設ける技術が開発されている（例えば特許文献２）。この収納ユニットでは、外カバーを建築構造体にアンカー、ピス等で固定し、その外カバー内に動滑車の原理を利用した電動昇降装置を設けてケースを昇降させる。
【先行技術文献】
【特許文献】
【０００５】
【特許文献１】特開平９−６７９２６号公報
【特許文献２】特開２００７−３０９０６５号公報
【考案の概要】
【考案が解決しようとする課題】
【０００６】
しかしながら、上記天井裏空間を利用した収納ユニットは、外カバーをアンカー、ピス等で建築構造体に固定するために建築構造体に孔を開ける必要がある。しかも、重量物の昇降にも耐えうるように多数の孔を開けてアンカー、ビス等を打ち込まなければならず、設置作業に手間がかかる。
【０００７】
本考案は、上記事情に鑑みてなされたものであり、重量物の昇降にも耐えうる設置構造としつつ、設置作業を容易に行うことができる収納ケースを提供することを主たる目的とするものである。
【課題を解決するための手段】
【０００８】
上記課題を解決すべく、第１の考案の収納ケースは、梁及び柱よりなる建物ユニットにより構築されるユニット式建物に適用され、前記建物ユニットの天井裏空間に設置されるものであり、前記収納ケースには、対向する２つの側面から歯を側方へ突出させたラックが設けられ、前記ラックが、前記天井裏空間において隣り合う一対の天井梁にそれぞれ取付けられたピニオンと噛み合うことで、前記収納ケースが前記天井梁と直交する方向に昇降可能に支持されていることを特徴とする。
【０００９】
本考案は、収納ケースに設けられたラックが、天井梁に取り付けられたピニオンと噛み合うことで、収納ケースが天井梁と直交する方向に昇降可能に支持されている。このため、収納ケースを支持するための構成が簡易化され、重量物の昇降にも十分耐え得ることができる。
【００１０】
第２の考案の収納ケースは、第１の考案において、前記ピニオンは駆動装置に備えられており、当該駆動装置の動力を受けて回転するものであることを特徴とする。
【００１１】
本考案によれば、労力を必要とすることなく、収納ケースの昇降を行うことができる。
【００１２】
第３の考案の収納ケースは、第１又は第２の考案において、前記駆動装置が操作スイッチと接続され、当該操作スイッチから送信される信号に基づき、前記ピニオンを回転させることを特徴とする。
【００１３】
本考案によれば、ユーザが操作スイッチを操作するだけで、収納ケースの昇降を容易に行うことができる。
【００１４】
第４の考案は、第１又は第２の考案において、前記建物ユニットの四隅に配された前記柱の上端部は天井大梁により連結され、前記建物ユニットの長辺部の相対する天井大梁の間には、所定間隔で複数の天井小梁が架け渡され、前記建物ユニットを輸送する際、ケース上面が前記天井大梁の上端高さよりも上方に突出しない位置に固定した状態に維持されることを特徴とする収納ケースである。
【００１５】
本考案によれば、収納ケースが輸送の邪魔となるのを回避できるため、建物ユニットを好適に輸送することができる。
【図面の簡単な説明】
【００１６】
【図１】本実施形態の収納ユニットが階間空間に設置された状態を示す正面図。
【図２】本実施形態の収納ユニットの分解斜視図。
【図３】本実施形態の昇降モータとラックを示す拡大図。
【図４】本実施形態のオイルダンパとラックを示す拡大図。
【図５】本実施形態のガイドピンとガイドレールを示す拡大図。
【図６】本実施形態のケースを建物ユニットに仮設置した状態を示す図。
【図７】本実施形態のケースを収納位置に収めた状態を示す図。
【図８】本実施形態のユニット式建物の概要を示す図。
【図９】本実施形態の建物ユニットの構成を示す斜視図。
【考案を実施するための形態】
【００１７】
以下、本考案を具体化した一実施形態を図面に基づいて説明する。本実施形態では、鉄骨ラーメンユニット工法にて構築された２階建てユニット式建物に具体化しており、そのユニット式建物１０の概要を図８に示す。ユニット式建物１０は、複数の建物ユニット２０を結合させてなる建物本体１１と、この建物本体１１の上方に配設される屋根１２とにより構成されている。なお、ユニット式建物１０に使用される建物ユニット２０は、工場にてあらかじめ製造され、その後、建築現場にトラック等により運搬されるものとなっている。
【００１８】
図９は建物ユニット２０の構成を示す斜視図である。建物ユニット２０において、その四隅には柱２１が配され、各柱２１の上端部及び下端部がそれぞれ４本の天井大梁２２、床大梁２３により連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００１９】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に水平に設けられている。
【００２０】
次に、本実施形態の収納ユニット５０の設置構造について、図１及び図２に基づいて説明する。図１は階間空間に設置された収納ユニット５０の正面図であり、図２はその分解斜視図である（なお、図２の右側の図は、ケース５１のみを背面側から見た斜視図である）。収納ユニット５０は、カバー５２及びケース５１を有し、ここに示すように装置取付け枠５３及び天井見切り枠４２が使用されることもある。
【００２１】
収納ユニット５０は、一階部分と二階部分との間の階間空間に設置され、一階部分を構成する建物ユニット２０の隣り合う一対の天井小梁２５ａ，２５ｂの間に配置される。なお、この一対の天井小梁２５ａ，２５ｂは角型鋼からなり、断面コ字状の軽量溝形鋼からなる他の天井小梁２５より高強度となっている。
【００２２】
天井小梁２５，２５ａ，２５ｂの下面には、天井下地材としての野縁４１が当該天井小梁２５に沿って設けられ、野縁４１の下面には一階部分の天井面を形成する天井板４０がビス等により取付けられている。天井板４０には、天井小梁２５ａ，２５ｂの間にケース５１が昇降するための開口部Ｋが形成されており、この開口部Ｋには天井板４０の下面側から天井見切り枠４２が嵌め合わされてビス等で取付けられている。ケース５１の底面５１ａは天井見切り枠４２内にぴったりと嵌る形状及び大きさに形成され、ケース５１が天井裏に収容されるときは、底面５１ａが開口部Ｋを塞いで天井板４０と同一平面となる。一方、ケース５１が降下した際は、扉５１ｂを開いて、収納物の収納・取出しを行うことができる。
【００２３】
図１及び図２のように装置取付け枠５３が使用される場合は、天井板４０の上面側の天井小梁２５ａ，２５ｂの間に、一対の横桟２７が開口部Ｋに沿って架け渡される。この一対の横桟２７と、天井小梁２５ａ，２５ｂとで囲まれた空間の上縁部に装置取付け枠５３が嵌め合わされ、横桟２７及び天井小梁２５ａ，２５ｂにネジ等で取付けられている。そして、天上裏カバー５２は、装置取付け枠５３のリップ５３ａに載置され、ネジ等により取付けられる。
【００２４】
装置取付け枠５３には、その内周の上縁部に昇降モータ６１、オイルダンパ６２、ガイドピン６３が取付けられている。一方、ケース５１には、左側面にラック６４が設けられ、右側面にラック６５が設けられ、背面にガイドレール６６が設けられている。これら２つのラック６４，６５とガイドレール６６とがそれぞれ、昇降モータ６１、オイルダンパ６２、ガイドピン６３に組合わさることで、ケース５１が支持され、かつ、ケース５１のスムーズな昇降が実現される。
【００２５】
図１に示すように、昇降モータ６１には、コントローラ８０が接続されている。コントローラ８０には、タッチパネルディスプレイが設けられ、画面に操作メニュー等が表示されるとともに、ユーザによる画面のタッチ操作により上昇指示又は降下指示の入力が受付けられる。昇降モータ６１は、コントローラ８０から送信される信号に基づいて、ケース５１を上昇又は降下させる。
【００２６】
次に、ケース５１の支持及び昇降に関わる構成の詳細につき、図３〜図５に基づいて説明する。図３に示すように、昇降モータ６１はピニオン６１ａを有する。ピニオン６１ａは、歯を水平方向に外側へ突出させたラック６４と回転自在に噛合する。ピニオン６１ａが昇降モータ６１の動力を受けて回転することで、ケース５１が昇降する。また、図４に示すように、オイルダンパ６２もピニオン６２ａを有する。ピニオン６２ａも、歯を水平方向に外側へ突出させたラック６５と回転自在に噛合する。オイルダンパ６２はケース５１が降下する際の速度を減退させるブレーキ機能を有するとともに、降下の途中で収納ボックスが停止した際にロックするロック機能を有する。このオイルダンパ６２は一方向性のものであり、ケース５１が上昇する際はブレーキの抵抗が生じない。なお、カバー５２は、ケース５１が上昇する際のストッパとしての機能を有し、ケース５がカバー５２に当接することで、その上昇が停止される。一方、ケース５１が降下する際は、左右側面に取付けられたストッパ６７，６８が天井小梁２５ａ，２５ｂに当接することで、その降下が停止される。また、図５に示すように、ガイドレール６６にはその上下方向（長さ方向）に長孔が形成されており、この長孔にガイドピン６３を挿入し上下にスライドさせることで、昇降の際にケース５１が左右に揺動することが防止される。
【００２７】
ところで、本実施形態では、施工時における工数削減を図るために、ケース５１を予めユニット工場において建物ユニット２０（詳細には下階ユニット）に設置し、その仮設置状態で建物ユニット２０を施工現場へ搬送するようにしている。図６にその仮設置状態が示されている（なお、ここでは、取付け枠５３を使用しない状態を示し、昇降モータ６１、オイルダンパ６２、ガイドピン６３を天井小梁２５ａ，２５ｂに直接取付けている。また、横桟２７の図示を省略している）。ユニット工場では、建物ユニット２０の搬送の支障となることがないよう、収納ユニット５０は、天井大梁２２の上端高さよりも上方に突出しないようにして天井裏スペースに設置される。具体的には、カバー５２は取付けられず、ケース５１はストッパ６７，６８が天井小梁２５に当接した位置に固定される。建物ユニット２０が施工現場へ搬送されると、カバー５２が取付けられ、図７に示すように、ケース５１は天井大梁２２よりも上方に突出する収納位置に収まる（なお、図７ではカバー５２を図示していない）。
【００２８】
以上、詳述した本実施形態によれば、以下の優れた効果が得られる。
【００２９】
ケース５１は、２つのラック６４，６５とガイドレール６６とがそれぞれ、昇降モータ６１、オイルダンパ６２、ガイドピン６３に組合わさることで支持される。このため、ケース５１を支持するための構成が簡易である。また、重量物の昇降にも十分耐え得る構成となっている。
【００３０】
収納ユニット５０の上端位置が天井大梁２２の上端高さよりも上方に突出しないようにして仮設置した状態で、建物ユニット２０を施工現場へ搬送するようにした。このため、収納ユニット５０が搬送の邪魔となるのを回避できるため、建物ユニット２０を好適に搬送することができる。
【符号の説明】
【００３１】
１０…ユニット式建物、２０…建物ユニット、２５…天井小梁、２７…横桟、４０…天井板、４１…野縁、４２…天井見切り枠、５０…収納ユニット、５１…ケース、５２…カバー、５３…装置取付け枠、６１…昇降モータ、６２…オイルダンパ、６３…ガイドピン、６４，６５…ラック、６６…ガイドレール、６７，６８…ストッパ
【図１】
0003160703.tif 000003
【図２】
0003160703.tif 000004
【図３】
0003160703.tif 000005
【図４】
0003160703.tif 000006
【図５】
0003160703.tif 000007
【図６】
0003160703.tif 000008
【図７】
0003160703.tif 000009
【図８】
0003160703.tif 000010
【図９】
0003160703.tif 000011